(57)【要約】【課題】  動画情報を格納する格納領域の容量を増やさずに、既存の格納領域の容量内で連続した動画撮影を可能とする動画記録装置を提供する。【解決手段】  撮影中の音声データと映像データとを格納領域（１６２，１６３）に格納すると共に、その格納領域（１６２，１６３）に格納した音声データと映像データとの格納状況を管理する管理情報も格納領域（１６１）に格納し、その格納領域（１６１）に格納した管理情報を基に格納領域（１６２，１６３）に格納した音声データと映像データとを消去し、新たな音声データと映像データとを格納する。【選択図】  図７
2005117447.tif 000002
【特許請求の範囲】
【請求項１】
動画情報を取得する動画情報取得手段と、
前記動画情報取得手段により取得した動画情報を分割して格納する記憶手段と、
前記動画情報取得手段により取得した新たな動画情報を前記記憶手段に格納すべく、前記記憶手段に分割して格納した動画情報をその分割した動画情報毎に消去して新たな動画情報を格納する動画格納手段と、
を有することを特徴とする動画記録装置。
【請求項２】
前記記憶手段への動画情報の格納を終了させる動画情報格納終了手段を更に有し、
前記動画格納手段は、
前記動画情報格納終了手段により前記記憶手段への動画情報の格納が終了されるまで、前記動画情報取得手段により取得した新たな動画情報を前記記憶手段に格納すべく、前記記憶手段に分割して格納した動画情報をその分割した動画情報毎に消去して新たな動画情報を格納することを特徴とする請求項１記載の動画記録装置。
【請求項３】
前記動画情報は、Ｉ（Ｉｎｔｒａ−ｃｏｄｅｄ）フレームを少なくとも有する動画情報に分割して前記記憶手段に格納され、
前記動画格納手段は、前記Ｉフレーム間隔毎に前記分割した動画情報を消去することを特徴とする請求項１または２記載の動画記録装置。
【請求項４】
前記動画情報取得手段は、
外部の動画情報を撮影する撮像手段であることを特徴とする請求項１記載の動画記録装置。
【請求項５】
前記動画情報取得手段は、
外部の通信装置から動画情報を受信する動画情報受信手段であることを特徴とする請求項１記載の動画記録装置。
【請求項６】
動画情報を取得する動画情報取得手段と、動画情報を格納する記憶手段と、動画情報の記録を制御する制御手段と、を有する動画記録装置を用いて行う動画記録方法であって、
前記制御手段が、
前記動画情報取得手段により取得した動画情報を分割して前記記憶手段に格納する工程と、
前記動画情報取得手段により取得した新たな動画情報を前記記憶手段に格納すべく前記記憶手段に分割して格納した動画情報をその分割した動画情報毎に消去して新たな動画情報を格納する工程と、
を行うことを特徴とする動画記録方法。
【請求項７】
前記動画記録装置は、前記記憶手段への動画情報の格納を終了させる動画情報格納終了手段を更に有し、
前記制御手段は、
前記動画情報格納終了手段により前記記憶手段への動画情報の格納が終了されるまで、前記動画情報取得手段により取得した新たな動画情報を前記記憶手段に格納すべく、前記記憶手段に分割して格納した動画情報をその分割した動画情報毎に消去して新たな動画情報を格納する工程を行うことを特徴とする請求項６記載の動画記録方法。
【請求項８】
前記制御手段は、Ｉ（Ｉｎｔｒａ−ｃｏｄｅｄ）フレームを少なくとも有する動画情報に分割して前記記憶手段に格納し、前記動画情報取得手段により取得した新たな動画情報を前記記憶手段に格納すべく、前記Ｉフレーム間隔毎に、前記分割した動画情報を前記記憶手段から消去することを特徴とする請求項６または７記載の動画記録方法。
【請求項９】
前記動画情報取得手段は、
外部の動画情報を撮影する撮像手段であることを特徴とする請求項６記載の動画記録方法。
【請求項１０】
前記動画情報取得手段は、
外部の通信装置から動画情報を受信する動画情報受信手段であることを特徴とする請求項６記載の動画記録方法。
【請求項１１】
動画情報を取得する動画情報取得手段と、動画情報を格納する記憶手段と、動画情報の記録を制御する制御手段と、を有する動画記録装置において実行される動画記録プログラムであって、
前記動画情報取得手段により取得した動画情報を分割して前記記憶手段に格納する処理と、
前記動画情報取得手段により取得した新たな動画情報を前記記憶手段に格納すべく、前記記憶手段に分割して格納した動画情報をその分割した動画情報毎に消去して新たな動画情報を格納する処理と、
を前記制御手段に実行させることを特徴とする動画記録プログラム。
【請求項１２】
前記動画記録装置は、前記記憶手段への動画情報の格納を終了させる動画情報格納終了手段を更に有し、
前記動画情報格納終了手段により前記記憶手段への動画情報の格納が終了されるまで、前記動画情報取得手段により取得した新たな動画情報を前記記憶手段に格納すべく、前記記憶手段に分割して格納した動画情報をその分割した動画情報毎に消去して新たな動画情報を格納する処理を前記制御手段に実行させることを特徴とする請求項１１記載の動画記録プログラム。
【請求項１３】
Ｉ（Ｉｎｔｒａ−ｃｏｄｅｄ）フレームを少なくとも有する動画情報に分割して前記記憶手段に格納し、前記動画情報取得手段により取得した新たな動画情報を前記記憶手段に格納すべく、前記Ｉフレーム間隔毎に、前記分割した動画情報を前記記憶手段から消去する処理を前記制御手段に実行させることを特徴とする請求項１１または１２記載の動画記録プログラム。
【請求項１４】
前記動画情報取得手段は、
外部の動画情報を撮影する撮像手段であることを特徴とする請求項１１記載の動画記録プログラム。
【請求項１５】
前記動画情報取得手段は、
外部の通信装置から動画情報を受信する動画情報受信手段であることを特徴とする請求項１１記載の動画記録プログラム。
【発明の詳細な説明】
【技術分野】
【０００１】
本発明は、動画を撮影可能な撮像手段を具備する動画記録装置、その動画記録装置を用いた動画記録方法および動画記録プログラムに関するものであり、特に、携帯電話やビデオカメラ等の移動体端末装置に好適な動画記録装置、動画記録方法および動画記録プログラムに関するものである。
【背景技術】
【０００２】
近年、カメラ等の撮像手段を搭載した移動体通信端末装置が普及しており、手軽に動画撮影を行いメモリ内に保存し、そのメモリ内に保存した動画データを移動体通信端末装置の具備する表示部で表示したり、外部の通信端末装置に送信したりすることが可能となっている。
【０００３】
しかしながら、ユーザは撮影したい場面を予測して撮影を開始することになるが、メモリの容量により連続して撮影可能な時間が制限されており、撮影したい場面が来る前に撮影時間が終了してしまう虞もある。
【０００４】
なお、本発明より先に出願された技術文献として、記憶手段に記憶した情報量が記憶可能容量を超えたときは、最も古い情報から順次消去して、最新の情報を記憶する携帯情報端末装置がある（例えば、特許文献１参照）。
【０００５】
また、撮影すべき画像、音声を入力手段であるマイク及びレンズに入力し、該入力された画像、音声の画像データを一時的に記憶手段で保存し、その記憶手段に保存された画像データを、通信回線を介して外部のセンターに送信し、送信後に記憶手段に一時的に保存された画像データを消去することで、多量の画像データをセンターに保存することで動画像撮影及び画像保存を可能とする携帯電話端末がある（例えば、特許文献２参照）。
【特許文献１】特開２００３−６９４７６号公報
【特許文献２】特開２００２−３４４６４９号公報
【発明の開示】
【発明が解決しようとする課題】
【０００６】
しかしながら、特許文献１は、記憶手段に記憶した情報量が記憶可能領域を超えたときは、最も古い情報から順次消去する技術思想が記載されているが、イベント会場において、イベント主催者が配信する情報を受信して表示する携帯情報端末装置に関する技術であり、イベント終了時点から所定時間経過後に記憶している情報を自動的に消去することとなり、本願発明とは技術原理が異なることとなる。また、具体的な消去技術に関しては何ら示唆されていない。
また、特許文献２は、記憶手段に一時的に保存された映像データを外部のセンターに送信した後に、消去することから、記憶手段に保存された映像データを消去するまでに所定の時間がかかることになる。
【０００７】
本発明は上記事情に鑑みてなされたものであり、動画情報を格納する記憶手段の容量を増やさずに、既存の記憶手段の容量内で連続した動画記録を可能とする動画記録装置、動画記録方法および動画記録プログラムを提供することを目的とするものである。
【課題を解決するための手段】
【０００８】
かかる目的を達成するために本発明は以下の特徴を有することとする。
【０００９】
本発明にかかる動画記録装置は、動画情報を取得する動画情報取得手段と、動画情報取得手段により取得した動画情報を分割して格納する記憶手段と、動画情報取得手段により取得した新たな動画情報を記憶手段に格納すべく、記憶手段に分割して格納した動画情報をその分割した動画情報毎に消去して新たな動画情報を格納する動画格納手段と、を有することを特徴とする。
【００１０】
また、本発明にかかる動画記録装置は、記憶手段への動画情報の格納を終了させる動画情報格納終了手段を更に有し、動画格納手段は、動画情報格納終了手段により記憶手段への動画情報の格納が終了されるまで、動画情報取得手段により取得した新たな動画情報を記憶手段に格納すべく、記憶手段に分割して格納した動画情報をその分割した動画情報毎に消去して新たな動画情報を格納することを特徴とする。
【００１１】
また、本発明にかかる動画記録装置は、動画情報は、Ｉ（Ｉｎｔｒａ−ｃｏｄｅｄ）フレームを少なくとも有する動画情報に分割して記憶手段に格納され、動画格納手段は、Ｉフレーム間隔毎に分割した動画情報を消去することを特徴とする。
【００１２】
また、本発明にかかる動画記録装置は、動画情報取得手段は、外部の動画情報を撮影する撮像手段であることを特徴とする。
【００１３】
また、本発明にかかる動画記録装置は、動画情報取得手段は、外部の通信装置から動画情報を受信する動画情報受信手段であることを特徴とする。
【００１４】
また、本発明にかかる動画記録方法は、動画情報を取得する動画情報取得手段と、動画情報を格納する記憶手段と、動画情報の記録を制御する制御手段と、を有する動画記録装置を用いて行う動画記録方法であって、制御手段が、動画情報取得手段により取得した動画情報を分割して記憶手段に格納する工程と、動画情報取得手段により取得した新たな動画情報を記憶手段に格納すべく記憶手段に分割して格納した動画情報をその分割した動画情報毎に消去して新たな動画情報を格納する工程と、を行うことを特徴とする。
【００１５】
また、本発明にかかる動画記録方法は、動画記録装置は、記憶手段への動画情報の格納を終了させる動画情報格納終了手段を更に有し、制御手段は、動画情報格納終了手段により記憶手段への動画情報の格納が終了されるまで、動画情報取得手段により取得した新たな動画情報を記憶手段に格納すべく、記憶手段に分割して格納した動画情報をその分割した動画情報毎に消去して新たな動画情報を格納する工程を行うことを特徴とする。
【００１６】
また、本発明にかかる動画記録方法は、制御手段は、Ｉ（Ｉｎｔｒａ−ｃｏｄｅｄ）フレームを少なくとも有する動画情報に分割して記憶手段に格納し、動画情報取得手段により取得した新たな動画情報を記憶手段に格納すべく、Ｉフレーム間隔毎に、分割した動画情報を記憶手段から消去することを特徴とする。
【００１７】
また、本発明にかかる動画記録方法は、動画情報取得手段は、外部の動画情報を撮影する撮像手段であることを特徴とする。
【００１８】
また、本発明にかかる動画記録方法は、動画情報取得手段は、外部の通信装置から動画情報を受信する動画情報受信手段であることを特徴とする。
【００１９】
また、本発明にかかる動画記録プログラムは、動画情報を取得する動画情報取得手段と、動画情報を格納する記憶手段と、動画情報の記録を制御する制御手段と、を有する動画記録装置において実行される動画記録プログラムであって、動画情報取得手段により取得した動画情報を分割して記憶手段に格納する処理と、動画情報取得手段により取得した新たな動画情報を記憶手段に格納すべく、記憶手段に分割して格納した動画情報をその分割した動画情報毎に消去して新たな動画情報を格納する処理と、を制御手段に実行させることを特徴とする。
【００２０】
また、本発明にかかる動画記録プログラムは、動画記録装置は、記憶手段への動画情報の格納を終了させる動画情報格納終了手段を更に有し、動画情報格納終了手段により記憶手段への動画情報の格納が終了されるまで、動画情報取得手段により取得した新たな動画情報を記憶手段に格納すべく、記憶手段に分割して格納した動画情報をその分割した動画情報毎に消去して新たな動画情報を格納する処理を制御手段に実行させることを特徴とする。
【００２１】
また、本発明にかかる動画記録プログラムは、Ｉ（Ｉｎｔｒａ−ｃｏｄｅｄ）フレームを少なくとも有する動画情報に分割して記憶手段に格納し、動画情報取得手段により取得した新たな動画情報を記憶手段に格納すべく、Ｉフレーム間隔毎に、分割した動画情報を記憶手段から消去する処理を制御手段に実行させることを特徴とする。
【００２２】
また、本発明にかかる動画記録プログラムは、動画情報取得手段は、外部の動画情報を撮影する撮像手段であることを特徴とする。
【００２３】
また、本発明にかかる動画記録プログラムは、動画情報取得手段は、外部の通信装置から動画情報を受信する動画情報受信手段であることを特徴とする。
【発明の効果】
【００２４】
本発明にかかる動画記録装置、動画記録方法および動画記録プログラムは、動画情報を取得する動画情報取得手段により取得した新たな動画情報を記憶手段に格納すべく記憶手段に分割して格納した動画情報をその分割した動画情報毎に消去して新たな動画情報を格納することで、記憶手段の容量を増やさずに、既存の記憶手段の容量内で連続した動画撮影が可能となり、連続撮影時間を気にせずに撮影を開始し、ユーザが所望する撮影場面を撮影することが可能となる。
【発明を実施するための最良の形態】
【００２５】
本発明にかかる動画記録装置は、撮影中の音声データと映像データとを格納領域に格納すると共に、その格納領域に格納した音声データと映像データとの格納状況を管理する管理情報も格納領域に格納し、その格納領域に格納した管理情報を基に格納領域に格納した音声データと映像データとを消去し、新たな音声データと映像データとを格納することで連続的な動画撮影をすることになり、既存の格納領域内で制限されていた動画の撮影時間を気にせずに撮影を行うことが可能となり、撮影したい場面を撮影した後に撮影を終了することでユーザが所望する撮影場面を撮影することが可能となる。
【実施例】
【００２６】
以下、添付図面を参照しながら本発明にかかる動画記録装置について説明する。なお、以下の実施例は、動画記録装置として移動体通信端末装置を例に説明する。
【００２７】
まず、図１を参照しながら移動体端末装置の構成について説明する。
本発明にかかる移動体端末装置は、無線アンテナ（１０）と、無線部（１１）と、制御部（１２）と、表示部（１３）と、操作部（１４）と、ＲＯＭ（１５）と、ＲＡＭ（１６）と、スピーカ（１７）と、撮像部（１８）と、マイク（１９）と、を有して構成される。
【００２８】
操作部（１４）は、各種機能の選択や、移動体端末装置の機能を操作するものであり、キーパッド等が適用可能である。
【００２９】
撮像部（１８）は、外部の映像を撮影するものであり、撮像部（１８）で撮影された映像データは制御部（１２）より表示部（１３）に表示されることとなる。また、撮像部（１８）で撮影された映像データと、マイク（１９）から入力された音声データとは制御部（１２）によりＲＡＭ（１６）に記録されることになる。また、外部の通信端末装置から送信された映像データと、音声データと、の少なくとも１つのデータは、無線アンテナ（１０）を介して無線部（１１）に入力され、無線部（１１）に入力された映像データは、制御部（１２）により表示部（１３）に表示され、無線部（１１）に入力された音声データは、制御部（１２）によりスピーカ（１７）から出力されることになる。また、無線部（１１）に入力された映像データと音声データとは制御部（１２）によりＲＡＭ（１６）に記録されることになる。
【００３０】
次に、図２を参照しながら、移動体端末装置の具備するＲＡＭ（１６）のデータ格納例について説明する。ＲＡＭ（１６）のデータ格納例は、図２に示すように、管理情報領域（１６１）と、音声格納領域（１６２）と、映像格納領域（１６３）と、動画保存領域（１６４）と、を有して構成される。
【００３１】
音声格納領域（１６２）は、音声データを格納する領域であり、音声データを各フレーム毎に分割して格納することになる。
映像格納領域（１６３）は、映像データを格納する領域であり、映像データを各フレーム毎に分割して格納することになる。
管理情報領域（１６１）は、音声格納領域（１６２）に格納される音声データと、映像格納領域（１６３）に格納される映像データと、を管理するための管理情報を登録する領域であり、管理情報としては、各フレームへのポインタ、フレームの種別（Ｉ（Ｉｎｔｒａ−ｃｏｄｅｄ）フレーム／Ｐ（Ｐｒｅｄｉｃｔｉｖｅ−ｃｏｄｅｄ）フレーム等）、開始フレーム位置、終了フレーム位置等が挙げられる。
動画保存領域（１６４）は、管理情報領域（１６１）に格納した管理情報を基に、音声格納領域（１６２）に格納した音声データと、映像格納領域（１６３）に格納した映像データと、を多重化した動画ファイルデータを保存する領域である。
【００３２】
次に、図３を参照しながら、動画ファイルデータの形式について説明する。
動画ファイルデータは、図３に示すように、映像部分である映像データと、音声部分である音声データと、を有し、更に、その映像データと音声データとの再生速度を調整し、映像データと音声データとを記録した時と同じタイミングで映像データと音声データとを再生させるための情報を含む多重化情報（ヘッダ）を少なくとも有して構成されている。
【００３３】
なお、この多重化情報（ヘッダ）には、音声データの再生時間を示す再生時間情報も含まれており、更に、多重化の方式によっては、映像データと音声データだけでなく、文字情報等の他の情報（その他情報）を含めることも可能であり、例えば、テロップ表示のためのテキスト情報や、各種コマンド情報等が挙げられる。
【００３４】
なお、多重化の方式としては、ＭＰ４（ＭＰＥＧ−４Ｓｙｓｔｅｍ）、ＡＳＦ（Ａｄｖａｎｃｅｄ  Ｓｔｒｅａｍｉｎｇ  Ｆｏｒｍａｔ）などが挙げられる。
【００３５】
映像格納領域（１６３）に格納される映像データは、エンコード方式によりエンコードされて格納される。これは、映像データは各フレーム（静止画とみなせる）の情報を映像格納領域（１６３）に直接格納すると、画像データが大きくなるためである。なお、エンコード方式としては、各フレームの情報を圧縮するだけではなく、映像データ固有の性質を使用したエンコード方法がある。以下、図４を参照しながら、映像データのエンコード方式について説明する。
【００３６】
図４に示すエンコード方式は、映像データの隣接したフレーム間では差分が少ないという性質を使用したエンコード方式を示しており、映像データを構成する各フレームのうち、映像データを撮影した際の開始フレーム、及び、映像データを場面転換した直後のフレームについては静止画像データと同等の圧縮処理が行われることになる。この静止画像データはＩ（Ｉｎｔｒａ−ｃｏｄｅｄ）フレームと称され、このＩフレームはデータ量としては大きくなるが、それ単独での画像データの再生が可能となる。
【００３７】
直前のフレームとの差分が小さい場合、直前のフレームとの差分を検出した上で圧縮処理が行われる。この差分は、Ｐ（Ｐｒｅｄｉｃｔｉｖｅ−ｃｏｄｅｄ）フレームと称され、このＰフレームには、直前のフレームとの差がある部分だけを情報として含めているため、圧縮後のサイズがきわめて小さくなるが、画像データを再生する際には、直前のフレームの情報を必要とすることになる。
【００３８】
更に、一部のエンコード方式では、前後のフレームから差分をとることで、Ｐフレームよりも更に情報量を削減したうえで圧縮処理を行う方法がある。これをＢ（Ｂｉｄｉｒｅｃｔｉｏｎａｌｌｙ−ｐｒｅｄｉｃｔｉｖｅ−ｃｏｄｅｄ）フレームと称し、このＢフレームはＰフレームよりもさらに画像データを小さくすることができる反面、画像データを再生する際に、前後のフレームの情報を必要とすることになる。また、画像データの再生時に、前後のフレームの情報を必要とするために、圧縮処理時にフレームの並べ替えが行われることになる。
【００３９】
なお、前後のフレームとの差分の取り方、各フレームの圧縮方式については、エンコード方式により異なり、通常は、Ｉフレームはごくわずかのフレーム数だけ挿入されることになる、残りのフレームはＰフレームまたはＢフレームとなるものがほとんどである。なお、エンコード方式としては、ＭＰＥＧ−２、ＭＰＥＧ−４Ｖｉｄｅｏ、Ｈ．２６３（ＩＰ電話に関するＩＴＵＴ勧告）などが挙げられる。
【００４０】
音声データについても、映像データと同様に、通常は何らかのエンコード方式によりエンコードされている。音声データの場合、一定時間分の音声データをフレームとして扱い、このフレーム単位で圧縮する方法が用いられることになる。フレームの長さについては、全てのフレームを同じ長さとする方式もあれば、毎回フレームの長さが異なる方式も存在するが、フレームの平均的な長さとしては数十ミリ秒前後となる方式が多い。エンコード方式としては、ＭＰ３（ＭＰＥＧ  Ａｕｄｉｏ  Ｌａｙｅｒ  ３）、ＡＡＣ（Ａｄｖａｎｃｅｄ  Ａｕｄｉｏ  Ｃｏｄｉｎｇ）、ＷＭＡ（Ｗｉｎｄｏｗｓ（Ｒ）  Ｍｅｄｉａ  Ａｕｄｉｏ）などが挙げられる。
【００４１】
次に、図５を参照しながら、本発明にかかる移動体端末装置における動画撮影時の処理動作について説明する。
【００４２】
まず、操作部（１４）から「動画撮影機能」を選択すると、撮像部（１８）から映像データが入力され、表示部（１３）に撮像部（１８）から入力された映像データがプレビュー表示されることとなる（ステップＳ１）。
【００４３】
ユーザは、撮影を開始したい時に、操作部（１４）のシャッターボタンを押下し、制御部（１２）が操作部（１４）のシャッターボタンが押下されたことを判定した場合に、映像データの撮影を開始することになる（ステップＳ２）。
【００４４】
映像データの撮影が開始されると、制御部（１２）は、撮像部（１８）から入力される映像データをＲＡＭ（１６）内の映像格納領域（１６３）へ格納し、マイク（１９）から入力される音声データをＲＡＭ（１６）内の音声格納領域（１６２）へ格納し、更に、映像格納領域（１６３）に格納した映像データと、音声格納領域（１６２）に格納した音声データと、の格納状況を示す管理情報を管理情報領域（１６１）へ格納することになる（ステップＳ３）。
【００４５】
次に、制御部（１２）は、再度、操作部（１４）のシャッターボタンが押下されたか否かを判定し（ステップＳ４）、制御部（１２）は、再度、操作部（１４）のシャッターボタンが押下されるまで撮影を継続することになり（ステップＳ４／ＮＯ）、制御部（１２）は、撮影継続時に映像格納領域（１６３）と、音声格納領域（１６２）と、の格納領域にデータを格納できないと判定した場合に（ステップＳ５／ＹＥＳ）、制御部（１２）は、管理情報領域（１６１）に格納した管理情報を基に、映像格納領域（１６３）に格納した映像データと、音声格納領域（１６２）に格納した音声データと、の最も古いデータから消去し（ステップＳ６）、撮像部（１８）から入力される映像データを映像格納領域（１６３）に格納し、マイク（１９）から入力される音声データを音声格納領域（１６２）に格納することになる。
【００４６】
また、制御部（１２）は、再度、操作部（１４）のシャッターボタンが押下されたことを判定した場合には（ステップＳ４／ＹＥＳ）、撮像部（１８）による撮影を終了することになり、制御部（１２）は、撮影が終了した時点で、ＲＡＭ（１６）内の管理情報領域（１６１）の管理情報を基にして、映像格納領域（１６３）に格納した映像データと、音声格納領域（１６２）に格納した音声データと、を多重化し、その多重化した動画データを動画保存領域（１６４）にファイル形式として保存することになる（ステップＳ７）。
【００４７】
次に、図６、図７を参照しながら、ＲＡＭ（１６）内の格納領域のデータ管理方法について説明する。
【００４８】
制御部（１２）は、撮像部（１８）から入力された映像データをＭＰＥＧ４のフレームデータに変換し、映像格納領域（１６３）へ格納することになる（ステップＳ１０）。その際、一定時間毎にＩフレーム（全ての画像データを含み、その画像データ単独で成り立つフレーム）とし、その他のフレームはＰフレーム（順方向の予測符号化を行ったフレーム）として格納することになる。
【００４９】
また、制御部（１２）は、マイク（１９）から入力された音声データをＡＭＲに変換し、音声格納領域（１６２）へ格納することになる（ステップＳ１１）。また、制御部（１２）は、映像格納領域（１６３）に格納した映像フレームデータと、音声格納領域（１６２）に格納した音声フレームデータと、の格納状況を示す管理情報（各フレームへのポインタ、Ｉフレーム／Ｐフレームの種別、開始フレーム位置、終了フレーム位置）を管理情報領域（１６１）へ格納することになる（ステップＳ１２）。
【００５０】
次に、制御部（１２）は、映像格納領域（１６３）、音声格納領域（１６２）の格納容量が最大格納容量を超えたと判定した場合は（ステップＳ１３／ＹＥＳ）、制御部（１２）は、管理情報領域（１６１）に格納した管理情報を基に、映像格納領域（１６３）と、音声格納領域（１６２）と、の開始フレームの位置（第１のＩフレーム）を次のＩフレーム位置となる第２のＩフレームの位置まで移動し、その第２のＩフレームを開始フレームとし、第１のＩフレームから第２のＩフレームの位置までのフレームデータに新たなフレームデータを上書きしながら格納することになる（ステップＳ１４、１５）。具体的には、映像フレームデータを映像格納領域（１６３）に追加格納した際に、その終了フレームデータＢが現在の開始フレーム（開始フレームＡ）を超えたと判定した場合に、管理情報領域（１６１）に格納した管理情報を基に、開始フレームＡを超えた終了フレームよりも後ろで一番近いＩフレームのポインタ（開始フレームＡ２のポインタ）を検索し、その位置（開始フレームＡ２）を新たな開始フレームとし、開始フレームＡから開始フレームＡ２までのフレームデータを消去し、開始フレームＡから開始フレームＡ２までのフレームデータに新たなフレームデータを上書きしながら格納することになる。このように開始フレーム位置を移動させることで最古の格納フレームデータは削除されることになる。その際、映像データの録画時間と同期する音声格納領域の開始フレーム位置も移動することになる。
【００５１】
このように、撮影中の音声データと映像データとを格納領域に格納すると共に、その格納領域に格納した音声データと映像データとの格納状況を管理する管理情報も格納領域に格納し、その格納領域に格納した管理情報を基に格納領域に格納した音声データと映像データとを消去し、新たな音声データと映像データとを格納することで連続的な動画撮影をすることになり、既存の格納領域内で制限されていた動画の撮影時間を気にせずに撮影を行うことが可能となり、撮影したい場面を撮影した後に撮影を終了することでユーザが所望する撮影場面を撮影することが可能となる。なお、上記処理動作は、撮像部（１８）から入力された映像データをＭＰＥＧ４のフレームデータに変換し、映像格納領域（１６３）へ格納することとしたが、外部の通信装置から無線部（１１）を介して受信した映像データや、音声データにも適用可能である。
【００５２】
なお、上述する実施例は、本発明の好適な実施例であり、本発明の要旨を逸脱しない範囲において種々変更実施が可能となる。例えば、上記実施例では、ＲＡＭ（１６）内のデータ管理方法について説明したが、これに限定するものではなく、動画データを格納できる記憶手段であれば適用可能である。また、映像データのエンコード方式として上記のＩフレーム、Ｐフレームを使用した圧縮処理を用いて説明したが、これに限定するものではなく、Ｂフレームを使用した圧縮処理を行うことも可能であり、様々なエンコード方式を用いて映像データを圧縮することは可能である。また、本実施例における動画記録装置における処理動作をプログラムとして、動画を撮影可能な撮像手段を具備する動画記録装置において実行させることでも、本実施例における動画記録装置を構築することは可能である。
【産業上の利用可能性】
【００５３】
本発明にかかる動画記録装置、動画記録方法および動画記録プログラムは、動画撮影が可能な端末装置であれば、適用可能である。
【図面の簡単な説明】
【００５４】
【図１】本発明にかかる移動体通信端末装置の構成を示すブロック図である。
【図２】移動体通信端末装置の具備するＲＡＭ内のデータ格納例を示す図である。
【図３】本発明に適用可能な動画ファイルデータの形式を示す図である。
【図４】本発明に適用可能な映像データのエンコード方式を説明するための図である。
【図５】本発明にかかる移動体端末装置における動画撮影時の処理動作を示すフローチャートである。
【図６】本発明にかかるＲＡＭ（１６）内の格納領域のデータ管理方法を示すフローチャートである。
【図７】本発明にかかるＲＡＭ（１６）内の格納領域のデータ管理方法を説明するための図である。
【符号の説明】
【００５５】
１０    無線アンテナ
１１    無線部
１２    制御部
１３    表示部
１４    操作部
１５    ＲＯＭ
１６    ＲＡＭ
１７    スピーカ
１８    撮像部
１９    マイク
１６１    管理情報領域
１６２    音声格納領域
１６３    映像格納領域
１６４    動画保存領域
【図１】
2005117447.tif 000003
【図２】
2005117447.tif 000004
【図３】
2005117447.tif 000005
【図４】
2005117447.tif 000006
【図５】
2005117447.tif 000007
【図６】
2005117447.tif 000008
【図７】
2005117447.tif 000009